(57)【要約】【課題】交換前後において設定データの移行を確実にかつ迅速に実行することができ、交換作業の負荷を低減させる。【解決手段】メータを交換する際に、まず交換されるメータ（Ａ）と交換後に使用するメータ（Ｂ）とを相互に接続して処理を開始する。メータ（Ｂ）は所定の入力操作を受け付けた場合（Ｓ１）、「出荷モード」でなければ、の操作入力を受け付けずに処理を終了する。また「出荷モード」であれば、メータ（Ａ）に対して要求信号を生成し（Ｓ３）、メータ（Ａ）に送信する（Ｓ４）。メータ（Ａ）では、自身の記憶手段に記憶した所定のデータを含む応答信号を生成し（Ｓ５）、メータ（Ｂ）に送信する（Ｓ６）。メータ（Ｂ）では、応答信号に含まれるデータを自身の記憶手段１２にコピーする（Ｓ７）。【選択図】図４
2009162674.tif 000002
【特許請求の範囲】
【請求項１】
特定流体の流量計測機能を有する流量計であって、入力操作を受け付ける入力手段と、前記流量計を更新するときにコピーすべき所定のデータを記憶する記憶手段と、前記流量計が取り得る複数の状態から現在の前記流量計の状態を判定する状態判定手段と、他の流量計を接続して前記他の流量計との間で信号の授受を行う通信手段とを有し、
前記流量計と前記他の流量計とを前記通信手段により接続し、前記他の流量計を接続した前記流量計が、前記入力手段に対する所定の操作を受け付けた場合、
前記状態判定手段により判定した前記流量計の状態が特定の状態であることを条件として、前記他の流量計の記憶手段に記憶したデータを読み出す要求信号を生成して前記他の流量計に送信し、送信した前記要求信号に対する応答信号として受信した前記所定のデータを自身の前記記憶手段にコピーすることを特徴とする流量計。
【請求項２】
前記流量計は、前記他の流量計を接続しているときに、自身の前記記憶手段に記憶している前記所定のデータを読み出す要求信号が前記他の流量計から送信されたときに、前記要求信号に対する応答信号として、前記自身の記憶手段に記憶している前記所定のデータを含む応答信号を前記他の流量計に送信することを特徴とする請求項１に記載の流量計。
【請求項３】
表示手段を有し、前記所定のデータのコピーの進行状態又は前記コピーの実施結果を示す情報を前記表示手段に表示することを特徴とする請求項１または２に記載の流量計。
【請求項４】
前記特定の状態は、該流量計が有する機能の選択及び設定を可能とし、前記流量計が備える電池電源の消費量を最低限に維持した出荷モードの状態であることを特徴とする請求項１〜３のいずれか１に記載の流量計。
【発明の詳細な説明】
【技術分野】
【０００１】
本発明は、流量計に関し、より具体的には、マイコンを搭載して通信機能を有するガスメータや水道メータ等の流量計に関する。
【背景技術】
【０００２】
マイコンを搭載して通信機能を備えた流量計としてガスメータや水道メータがある。これらガスメータや水道メータは法律で使用期間が定められており、メータが使用期間に達した場合には交換する必要がある。法律で定められた使用可能期間は、ガスメータの場合は１０年間、水道メータの場合は８年間である。
【０００３】
メータを交換する場合、これまで使用していたメータとこれから使用するメータとを同一の内容で運用するために、これまで使用していたメータが保持している設定データ等のデータを専用の外部通信機器等を用いて読み出し、これから使用するメータに対してコピーする。これらデータとしては、メータが備える各機能を実行するために使用される各種の設定データ、積算値データ、遮断履歴やメータ番号などのユーティリティデータといった、ガスメータが保持するデータ全般を指す。
【０００４】
従来メータを交換する際には、専用の外部通信機器等を準備し、取り付け・取り外しを行う必要があり、また専用の外部通信機器等で同一の設定を行う場合、設定するデータの漏れや入力間違い等が発生する恐れがある。この場合、これから使用するメータでは、これまで使用していたものと同一の動作を行うことができなくなるという問題が発生する。
また交換すべきメータから専用の外部通信機器等でデータを読み出し、新たなメータにコピーする場合、通信時間や交換作業に多大な時間を費やさなくてはならない。
【０００５】
このような問題に対して、例えば特許文献１には、新設するガスメータに間違った設定をしてしまうことを防止するために、既設ガスメータの設定データを新設ガスメータに移植できるようにしたガスメータ用設定データ移植器が開示されている。
このガスメータ用設定データ移植器を既設ガスメータに接続して、当該移植器の操作ボタンを押すと、既設ガスメータの設定データの一括読み込み動作が行われ、移植器の記憶手段（ＲＡＭ）内に保持される。そしてガスメータ用設定データ移植器を新設ガスメータに接続して、操作ボタンを押すと、記憶手段内の設定データが一括して新設ガスメータに書き込まれる。
【０００６】
特許文献１の移植器では、通常動作状態において操作ボタンが操作され、記憶手段にガスメータの設定データが記憶保持されていない場合には、ガスメータから設定データを読み込む動作を行い、読み込まれた設定データを記憶手段に記憶保持する。記憶手段に設定データが既に記憶保持されている場合には、その設定データをガスメータに向けて転送して、そこに設定する書き込み動作を行う。これによりガスメータに間違った設定をしてしまうことを防止している。
【特許文献１】特開２００６−３３０８８２号公報
【発明の開示】
【発明が解決しようとする課題】
【０００７】
上述したように、メータの交換を行う際に専用の外部通信機器等で同一の設定を行う場合、設定するデータの漏れや入力間違い等が発生すると、新設のメータではこれまで使用していたものと同一の動作を行うことができなくなるという課題がある。また、交換すべきメータから専用の外部通信機器等でデータを読み出し、新たなメータにコピーする場合、通信時間や交換作業に多大な時間を費やさなくてはならないとう問題が生じる。
【０００８】
また、上記特許文献１のガスメータ用データ移植器では、ガスメータの他に専用の移植器が必要になり、余分なコストがかかるという問題が生じる。
さらに、上記のような専用の移植器を用いたり、専用の外部通信機器等を用いて設定を行うような構成では、これまで使用していた流量計の交換作業以外の環境においても、ガスメータの設定データの読み出し、及び書き込みが可能であるため、設定データのコピーが不要な流量計に対して、故意にもしくは不注意によりデータのコピーが可能になってしまう、という課題がある。
【０００９】
本発明は 上述のごとき実情に鑑みてなされたものであり、流量計の交換時にデータのコピーを確実かつ容易に実行することができ、かつ流量計が特定の状態にのみデータのコピーを実行できるようにすることで、意図しないデータのコピーを確実に防止できるようにした流量計を提供することを目的とするものである。
【課題を解決するための手段】
【００１０】
上記課題を解決するために、請求項１の発明は、特定流体の流量計測機能を有する流量計であって、入力操作を受け付ける入力手段と、流量計を更新するときにコピーすべき所定のデータを記憶する記憶手段と、流量計が取り得る複数の状態から現在の流量計の状態を判定する状態判定手段と、他の流量計を接続して他の流量計との間で信号の授受を行う通信手段とを有し、流量計と他の流量計とを通信手段により接続し、他の流量計を接続した流量計が、入力手段に対する所定の操作を受け付けた場合、状態判定手段により判定した流量計の状態が特定の状態であることを条件として、他の流量計の記憶手段に記憶したデータを読み出す要求信号を生成して他の流量計に送信し、送信した要求信号に対する応答信号として受信した所定のデータを自身の記憶手段にコピーすることを特徴としたものである。
【００１１】
請求項２の発明は、請求項１の発明において、流量計は、他の流量計を接続しているときに、自身の記憶手段に記憶している所定のデータを読み出す要求信号が他の流量計から送信されたときに、要求信号に対する応答信号として、自身の記憶手段に記憶している所定のデータを含む応答信号を他の流量計に送信することを特徴としたものである。
【００１２】
請求項３の発明は、請求項１または２の発明において、表示手段を有し、所定のデータのコピーの進行状態又はコピーの実施結果を示す情報を表示手段に表示することを特徴としたものである。
【００１３】
請求項４の発明は、請求項１〜３のいずれかの発明において、特定の状態は、流量計が有する機能の選択及び設定を可能とし、流量計が備える電池電源の消費量を最低限に維持した出荷モードの状態であることを特徴としたものである。
【発明の効果】
【００１４】
本発明によれば、流量計の交換時にデータのコピーを確実かつ容易に実行することができ、かつ流量計が特定の状態にのみデータのコピーを実行できるようにすることで、交換時以外の意図しない状況におけるデータのコピーを確実に防止することができる。また、オペレータは、データのコピーの進行状態や実施結果を表す情報を表示手段の表示によって確認することができる。
【発明を実施するための最良の形態】
【００１５】
以下に添付された図面を参照しながら、本発明による流量計の実施形態を具体的に説明する。なお、以下の実施形態では、流量計の一形態であるガスメータを例として説明するが、本発明に係る流量計は水道メータに対して適用することもでき、以下の実施形態と同様の制御によってデータのコピーを実行することができる。
【００１６】
図１は、本発明の流量計によるデータのコピー処理時の状態を説明するための図で、図中、１０は流量計の一実施形態であるガスメータ、１１は入力手段、１３は表示手段である。
本実施形態に係るガスメータ１０は、ガスメータを新しく更新する際に、これまで使用され交換されるガスメータと、交換後に使用する新しいガスメータとを互いに接続する。ここでは通信線を用いた接続であってもよく、無線通信を行う接続であってもよい。説明のためにここでは、これまで使用され交換されるガスメータ１０をメータ（Ａ）とし、交換後に使用される新しいガスメータ１０をメータ（Ｂ）とする。
【００１７】
そして、オペレータは、ガスメータの状態判定手段により、ガスメータが「出荷モード」であることを確認し、新たに使用するガスメータの入力手段１１に対して所定の入力操作を行う。「出荷モード」を含むガスメータのモードについては後述する。ここで、所定の入力操作としては、例えばガスメータが備えている復帰ボタンを押す操作を設定することができる。また、ガスメータが「出荷モード」にあるかどうかは、表示手段１３の表示内容によって判別できる。そしてオペレータが上記のような所定の入力操作を行うことにより、メータ（Ａ）に記憶保持されているデータを、メータ（Ｂ）にコピーする動作を実行させることができる。
【００１８】
メータ（Ａ）からメータ（Ｂ）にコピーするデータは、メータの更新時にコピーすべきデータとして定められた所定のデータであって、複数の機能を有するメータにおいて各機能を実行するために使用される各種の設定データ、積算値データ、遮断履歴やメータ番号などのユーティリティデータといった、ガスメータが保有するデータ全般が該当する。
【００１９】
図２は、本発明に係る流量計の一実施形態であるガスメータの構成例を説明するためのブロック図である。ガスメータ１０は複数の機能を実行可能であり、オペレータからの入力操作を受け付ける入力手段１１と、各種データを記憶するメモリである記憶手段１２と、検針値等の情報を表示する表示手段１３と、接続された他のガスメータとの間で通信を行う通信手段１４と、これら各部を制御する制御手段１５とを有している。通信手段１４は、ガスメータ１０に対して、当該ガスメータ１０と同様の機能を有する他のガスメータを接続し、これらのガスメータ間でコピーすべきデータの要求信号やそのデータを含む応答信号等のやり取りを可能にするものである。これらのガスメータ同士の通信は、上記のように有線通信、もしくは無線通信を適宜適用することができる。
【００２０】
図２の構成は、本発明を特徴付ける部分に係る機能を示すものであるが、この他ガスメータ１には、通常のガスメータとしての機能が備えられる。例えば、ガス流量に応じた回転数や流体振動を出力する計量部、ガス流量やセキュリティに関する物理量を検出するセンサ類を備えたセンサ部を備える。制御手段１５では、取り込まれたセンサ類の信号を演算処理し、表示手段１３に出力したり、外部装置との接続を行う端子台を介して外部に出力したりする。また、制御手段１５では、流量センサからの流量検出値に基づいてガス流量を計測して積算する処理を行う。表示手段１３は、制御手段１５により処理されたデータを表示するもので、ガスメータに備えられているＬＥＤ（Light Emitting Diode）やＬＣＤ（Liquid Crystal Display）を適用することができる。
【００２１】
また、通信手段１４では、上記のような他のガスメータとの通信機能の他、宅内でガスメータの操作を行う宅内操作機や電話交換網を制御するＮＣＵ、集合住宅等における集中検針を行う集中検針装置、ガス漏れ警報器、及びハンディターミナル（設定器）やＰＣ等の外部機器などと接続し、通信を行う機能を備えることができる。ＮＣＵは遠隔のガス検針センタとの間でガスメータの積算値やその他制御情報を通信可能とするために、ガスメータとガス検針センタとを電話回線で接続する機能を備える。
【００２２】
本発明に係る状態判定手段は、ガスメータが取りうる複数の状態から現在の状態を判定するもので、制御手段１５によって実現されるものである。また制御手段１５は、他のガスメータを接続しているときに、入力手段１１に対する所定の操作を受け付けた場合、状態判定手段によりガスメータ１０が特定の状態であることを条件として、通信手段１４により接続された他ガスメータの記憶手段に記憶したデータを読み出す要求信号を生成し、通信手段１４により他のガスメータに送信する制御を行う。また、制御手段１５は、送信した要求信号に対する応答信号を通信手段１４により受信したとき、受信した応答信号に含まれるデータを自身の記憶手段１２にコピーする制御を行う。
【００２３】
一方、ガスメータ１０が交換されるガスメータである場合、制御手段１５は、通信手段１４により接続された他のガスメータから上記の要求信号が送信されたときに、その要求信号に対する応答信号として、自身の記憶手段１２に記憶しているデータを含む応答信号を他のガスメータに送信する制御を行う。
【００２４】
図３は、ガスメータが持ちうる状態を説明するための図である。ガスメータは、図３に示すような「出荷モード」、「出荷モード移行モード」、「通常モード」、及び「テスト遮断モード」をとることができ、これらのガスメータに対する所定の操作によってこれらのモードを遷移させることができる。
「出荷モード」は、ガスメータの出荷時における各種機能の選択や設定を行うためのモードであって、ガスメータの電池消費量を最低限に維持したモードである。また「出荷モード移行モード」は、「出荷モード」から「通常モード」に遷移したり、「テスト遮断モード」から「出荷モード」に遷移したりするための過渡的な状態である。「通常モード」は、消費者宅等においてガスメータが通常使用される状態である。また「テスト遮断モード」はテスト遮断を行っている状態である。テスト遮断は、ガスメータの工場出荷時や現場に設置されたガスメータの使用開始時において、制御手段１５により遮断弁を閉じさせ、それに応じて制御手段１５からの応答信号を表示手段１３のＬＥＤなどにより確認する動作を示すものである。
【００２５】
出荷モードを設ける目的は、次のうち少なくとも一つが該当する。
（１）自動設定機能等の出荷時の各種機能の選択、設定を行う。
（２）出荷時のガスメータの電池消費量を最小限にする。
（３）ガスメータの輸送時、設置時において、誤動作を防止する。
（４）ガスメータの輸送時、設置時において、カウンタが回ることを防止する。
【００２６】
出荷モード時には次の制御を行っている。
（１）通信の受け付け可。
（２）ＣＰＵ（制御手段）の低消費電力モード動作。
（３）センサ類の動作停止。
（４）遮断弁によるガス流路遮断、および弁開動作の禁止。
【００２７】
ただし、ＣＰＵの低消費電力モード動作はどのモードでも実行されており、出荷モード固有の動作ではない。出荷モードではセンサ類が動作停止しているため、ＣＰＵの低消費電力モード動作時間が比較的長くなり、電池消費量が最小限に抑えられることになる。
【００２８】
図３に示すように「出荷モード」で出荷時の機能選択や設定が行われたガスメータは、ガスメータに対する所定の操作によって「出荷モード移行モード」に遷移する。「出荷モード移行モード」からは、所定の操作によって「出荷モード」に戻すこともでき、もしくは「通常モード」に遷移させることができる。「通常モード」では、テスト遮断操作を行うことにより「テスト遮断モード」に遷移させることができる。そして、「テスト遮断モード」では、所定の操作によって「通常モード」に戻すか、もしくは「出荷モード移行モード」に遷移させることができる。なお上記の所定の操作とは、各モードと遷移先のモードとによって予め個々に定められた操作である。
【００２９】
図４は、メータの設定データをコピーするときの処理例を説明するための図である。ガスメータを交換する際に、まず交換されるメータ（Ａ）と交換後に使用するメータ（Ｂ）とを相互に接続した状態で、メータ（Ａ）が保持するデータをメータ（Ｂ）にコピーする処理を開始する。
メータ（Ｂ）の制御手段１５は、入力手段１１に対する所定の入力操作を受け付けた場合（ステップＳ１）、ガスメータの特定の動作として定められている「出荷モード」であるかどうかを判別する（ステップＳ２）。所定の入力操作は、交換されるメータ（Ａ）から交換後に使用するメータ（Ｂ）に対してデータをコピーすることを指示する所定の入力操作である。
【００３０】
ここでメータ（Ｂ）が「出荷モード」でなければ、その操作入力を受け付けずに処理を終了する。またメータ（Ｂ）が「出荷モード」であれば、制御手段１５は、メータ（Ａ）に対してコピーすべきデータを要求するための要求信号を生成する（ステップＳ３）。コピーすべきデータは、上述したように複数の機能を有するメータにおいて各機能を実行するために使用される各種の設定データ、積算値データ、遮断履歴やメータ番号などのユーティリティデータといった、ガスメータが保有するデータ全般が該当し、これらの所定のデータを送信することを要求する要求信号が生成される。
【００３１】
そして、メータ（Ｂ）では、生成した要求信号をメータ（Ａ）に送信する（ステップＳ４）。メータ（Ａ）では、メータ（Ｂ）から受信した要求信号に従って、自身の記憶手段１２に記憶した上記所定のデータを含む応答信号を生成し（ステップＳ５）、メータ（Ｂ）に送信する（ステップＳ６）。
メータ（Ｂ）では、メータ（Ａ）から送信された応答信号に含まれるデータを自身の記憶手段１２にコピーする（ステップＳ７）。
【００３２】
このような動作により、新しく使用するメータ（Ｂ）では、これまで使用されてきたメータ（Ａ）に対して、その記憶手段１２内に記憶しているデータを含む応答信号を送信するように要求することにより、その要求に対する応答信号を使用してデータをコピーすることができる。これにより専用の外部通信機器等を使用する必要なく、交換されるメータ（Ａ）と交換後に使用するメータ（Ｂ）とを相互に接続することにより、メータ（Ａ）のデータを直接コピーすることができるようになる。また、これによりデータ設定の間違いを確実に防止することができる。また、従来の設定データの読み出しと再設定に要する通信時間に対して大幅な通信時間の削減が可能となる。
【００３３】
またここでは、メータ（Ｂ）が特定の状態、つまり「出荷モード」にあるときにのみ、メータ（Ａ）からのデータコピーを可能とするため、意図しない状況におけるデータのコピーを確実に防止することができる。
【００３４】
上記のごとく動作によって、メータ（Ａ）からメータ（Ｂ）へのデータのコピーが可能となるが、例えばガスメータの表示手段の１つであるＬＥＤは、「出荷モード」では通常消灯している。そこで交換する２つのガスメータを接続してデータのコピーを行っているときに、ＬＥＤによりその進行状態または実施結果を明示的に示すことができる。例えばガスメータ間でデータのコピーを行っているときにはＬＥＤを赤色に点滅させ、データのコピーが終了した場合には緑色に数秒間点灯させ、さらにデータコピーが失敗した場合には赤色で数秒間点灯させるようにすることで、コピーの進行状態または実施結果をユーザに知らせることができる。
つまり、本実施形態のガスメータでは、データをコピーするときに、ＬＥＤやＬＣＤによる表示手段によって、その設定データのコピーの進行状態または実施結果を明示的に示すことができる。
【００３５】
次に通信機能付きメータが備える各種の機能と、その機能を実行するために設定される設定データについてその具体例を説明する。上記のように、メータ間でコピーするデータとしてはメータが備える各種機能を実行するための設定データ、積算値データ、遮断履歴やメータ番号などのユーティリティデータといった、ガスメータが保有するデータ全般が該当する。
【００３６】
メータが備える機能の例としては、例えば、所定のアラームを発するためのアラーム機能や検針データを記憶するための検針データ記憶機能、あるいは発呼先の電話番号を設定するための発呼先電話番号設定機能などがある。
また上記のアラーム機能には、残量管理機能、漏水検知機能、流量ゼロ検知機能、逆流検知機能、過大流量検知機能、及び超過流量検知機能などがある。また上記検針データ記憶機能には、定時検針機能、及びロードサーベイデータ機能などがある。さらに、上記発呼先電話番号設定機能には、アラーム機能用発呼先電話番号設定機能、ロードサーベイデータ機能用発呼先電話番号設定機能、ロードサーベイデータ機能用発呼先電話番号設定機能、及び定時検針機能用発呼先電話番号設定機能などがある。また、設定データの１つとしてメータ制御コードがある。以下にこれらの具体例を説明する。
【００３７】
（残量管理機能）
残量管理機能は、容器リセットスイッチの作動以降のガス通過体積を残量管理カウンタ値に積算していき、予め設定されている残量管理警告レベルに達した時、警告を発する機能である。すなわち、残量管理機能における設定データは、残量管理カウンタ値および、残量管理レベルが該当する。
【００３８】
（メータ制御コード）
メータ制御コードは、ガスメータの各種動作に関わる設定を行うコードであり、それ自身が設定データに該当する。
【００３９】
（漏水検知機能）
漏水検知機能は、通信機能付きメータとして水道メータが用いられているとき、その水道メータに接続される配管における漏水を検知するための機能である。水道メータは、予め定めた一定時間毎に水道メータを流れる水の流量チェックを行い、その流量が予め定められている流量判定値を越え、かつその流量判定値を越えた状態が予め定められている時間判定値を越えたときに、「漏水」であると判定して警告表示を行う。すなわち、漏水検知機能における設定データは、上記の流量判定値と時間判定値が該当する。なおガスメータの場合は接続配管におけるガス漏れを検知するガス漏れ検知機能となる。
【００４０】
（流量ゼロ検知機能）
流量ゼロ検知機能は、メータに接続される配管におけるガスや水の流量がないことを検知するための機能である。メータは、予め定めた一定時間毎にメータに接続される配管における流量をチェックし、その流量の増加量がない（増加量ゼロ）状態が連続して所定時間続いたときに、「流量ゼロ日数」が１日であることを記録する。そしてこの流量ゼロ日数が予め設定されている流量ゼロ判定値に達したときに、「流量ゼロ」が発生したものと判定して警告表示を行う。すなわち、流量ゼロ判定機能における設定データは、上記の所定時間と流量ゼロ判定値とが該当する。
【００４１】
（逆流検知機能）
逆流検知機能は、メータに接続される配管におけるガスや水が逆流していることを検知するための機能である。メータは、予め定めた一定時間毎にメータに接続される配管における流量をチェックし、逆流が生じている状態が予め定めた逆流判定回数まで連続して発生したときに、「逆流」が発生したものと判定して警告表示を行う。すなわち、逆流検知機能における設定データは、上記の逆流判定回数が該当する。
【００４２】
（過大流量検知機能（超過流量検知機能））
過大流検知機能は、過大な流量のガスや水が流れた状態を検知するための機能である。メータは、予め定めた一定時間毎にメータに接続される配管における流量をチェックし、その流量が、予め定められている流量判定値を越え、かつその超過量の合計（累積値）が、予め設定されている過大判定値に達したときに、「過大流量」であると判定して警告表示を行う。すなわち、過大流量判定機能における設定データは、上記の流量判定値と過大判定値が該当する。
【００４３】
（定時検針機能）
定時検針機能は、予め設定された定時検針時にメータの検針値をメータが記憶、更新する機能である。定時検針機能によって記憶された定時検針値とアラーム情報は、遠隔から通信によって確認することができる。定時検針機能における設定データは、上記の定時検針を行うための日時設定値が該当する。
【００４４】
（ロードサーベイデータ機能）
ロードサーベイデータ機能は、一定間隔でメータの積算値を記憶する機能である。例えばロードサーベイ機能には、「日量」、「連続」、「停止」、「継続」などの設定が可能である。「日量」の場合、１日に一度予め定めた定時検針時刻に積算値を記憶する。積算値は所定回数分だけ記憶され、常に最新の所定回数分のデータを記憶する。また「連続」の場合、予め設定された開始時刻から、予め設定された時間間隔毎に積算値を記憶する。積算値は所定回数分だけ記憶され、常に最新の所定回数分のデータを記憶する。
【００４５】
また「停止」の場合、予め設定された開始時刻から、予め設定された時間間隔毎に積算値を記憶する。そして積算値は所定回数分だけ記憶され、その時点で積算値の記憶処理を停止する。ここでは記憶している最古のデータ取得日時を記憶する。
また「継続」の場合、予め設定された開始時刻から、予め設定された時間間隔毎に積算値を記憶する。積算値は所定回数のブロック×複数の回数だけ記憶され、通信による最初のブロックのデータ要求を受信するか、もしくは全記録データ数（所定回数のブロック×複数）が一杯になったときに、最初のブロックのデータを消去する。
【００４６】
ロードサーベイデータ機能においては、「日量」設定の場合の定時検針日時、「連続」設定の場合の積算値の記憶の開始時刻（月日時分）及び積算値を記憶する時間間隔、「停止」設定の場合の積算値の記憶の開始時刻及び積算値を記憶する時間間隔、「継続」設定の場合の積算値の記憶の開始時刻及び積算値を記憶する時間間隔が、ロードサーベイデータ機能を実行するための設定データに該当する。
【００４７】
（発呼先電話番号設定機能）
発呼先電話番号設定機能は、アラーム機能、ロードサーベイデータ機能、及び定時検針機能において、集中監視センタなどの通信相手先を発呼するための電話番号を設定するための機能である。発呼先電話番号設定機能を用いて、各機能毎に個別の電話番号を設定することができる。例えば定時検針機能を使用して検針値を送信する通信相手先、アラーム機能によりアラーム情報（警告情報）が発生したときにそのアラーム情報を送信する通信相手先、あるいはロードサーベイ機能により生成したロードサーベイ情報を送信する通信相手先を設定することができる。上記各機能に応じた通信相手先（集中監視センタなど）は、各機能ごとに別々の通信相手先を設定することができ、また全て同一の通信相手先を設定することもできる。上記の各機能に応じた発呼先電話番号が、発呼先電話番号設定機能における設定データに該当する。
【００４８】
（合計流量遮断機能）
合計流量遮断機能は、ガス流量が、ガス消費先の保有燃焼器具の合計消費流量（予め設定された遮断設定値）を超えて流れた場合、元栓の誤開放やゴムホースの抜け等による大量のガス漏れと判断して遮断弁を駆動しガス通路を遮断する機能である。遮断設定値は手動設定するか、または、自動設定機能により、ガス消費先のガス消費パターンを学習し、ガス消費先に合わせた遮断設定値が設定される。すなわち、合計流量遮断機能における設定データは、遮断設定値が該当する。
【００４９】
（増加流量遮断機能）
増加流量遮断機能は、ガス流量の増加が、ガス消費先の保有燃焼器具の内、最大機器の消費量（予め設定された遮断設定値）に比較して非常に大きい流量の増加であった場合、元栓の誤開放やゴムホースの抜け等による大量のガス漏れと判断して遮断弁を駆動しガス通路を遮断する機能である。遮断設定値は手動設定するか、または、自動設定機能により、ガス消費先のガス消費パターンを学習し、ガス消費先に合わせた遮断設定値が設定される。すなわち、増加流量遮断機能における設定データは、遮断設定値が該当する。
【００５０】
（使用時間遮断機能）
使用時間遮断機能は、ガス器具の使用状態が、普通ではありえないような使用状態であるとガスメータの制御手段が判断したとき、ガス器具の消し忘れ又は、器具栓の不完全閉止等によるガス漏れと判断して遮断弁を駆動しガス通路を遮断する機能である。
使用状態の判断は、流量区分毎の使用制限時間に基づき判断される。使用制限時間は手動設定するか、または、自動設定機能により、ガス消費先のガス消費パターンを学習し、ガス消費先に合わせた使用制限時間が設定される。すなわち、使用時間遮断機能における設定データは、流量区分毎の使用制限時間が該当する。
【００５１】
（口火登録機能）
口火登録機能は、ガス器具の口火流量をガスメータの記憶手段に予め記憶させる機能である。ガスメータの制御手段は、ガス器具の口火が長時間連続して使用された場合に微少漏洩と区別し、記憶手段に記憶された口火流量以外の連続したガスの流れを検知した場合のみガス漏れと判断する。すなわち、口火登録機能における設定データは、口火流量が該当する。
【００５２】
（流量区分別積算機能）
流量区分別積算機能は、予め設定されている設定値に基づき、時間毎の流量データから特定の器具の積算量を推定計測し、流量区分別積算値１〜３として記憶する機能である。
設定値としては、積算開始流量、最大流量、最小流量、標準流量、有効判定時間、停止判定時間、大型器具判定流量がある。
積算開始流量は、特定器具が使用開始されたと推定するガス使用流量の下限流量値である。最大流量は、特定器具が使用するガス使用流量の上限流量値である。最小流量は、特定器具の最小使用流量値である。標準流量は、特定器具の標準的な使用流量である。有効判定時間は、特定器具の最小使用時間である。停止判定時間は、特定器具の使用停止を判定する時間である。大型器具判定流量は、特定器具以外の大型器具判定を判定する流量値である。流量区分別積算機能における設定データとしては、積算開始流量、最大流量、最小流量、標準流量、有効判定時間、停止判定時間、大型器具判定流量、および、流量区分別積算値１〜３が該当する。
【００５３】
なお上記の例はメータ間でコピーする設定データの例を示すものであって、コピーを行うデータはこれらに限ることなく、予め種々のデータを定めておくことができる。そして本発明に係る実施形態では、このようなデータをメータの記憶手段に記憶し、交換されるメータと交換後に使用するメータとを直接接続し、交換後に使用するメータからの要求信号に応じて、交換されるメータからデータを含む応答信号を送信することにより、専用の外部通信機器等を使用する必要なく、これまで使用されたメータが保持している所定のデータを、これから使用する新たなメータに直接コピーすることができるようになる。
【図面の簡単な説明】
【００５４】
【図１】本発明の流量計によるデータのコピー処理時の状態を説明するための図である。
【図２】本発明に係る流量計の一実施形態であるガスメータの構成例を説明するためのブロック図である。
【図３】ガスメータが持ちうる状態を説明するための図である。
【図４】メータの設定データをコピーするときの処理例を説明するための図である。
【符号の説明】
【００５５】
１０…ガスメータ、１１…入力手段、１２…記憶手段、１３…表示手段、１４…通信手段、１５…制御手段。
【図１】
2009162674.tif 000003
【図２】
2009162674.tif 000004
【図３】
2009162674.tif 000005
【図４】
2009162674.tif 000006